(57)【特許請求の範囲】
【請求項１】
光を放射する光源と、上記光源を保持し、上記光源で発生した熱を外部に放熱する光源カバーとを有する光源ユニットと、
上記光源を点灯させる点灯回路を有する器具本体と、
上記光源が放射する光を入射して発光する表示板を有する表示ユニットと、
上記光源カバーと係合して上記光源カバーを着脱自在に保持する対カバー係合部と、上記器具本体と係合して上記器具本体を着脱自在に保持する対本体係合部とを有する二つの係合保持部品と
を備え、
上記光源カバーは、
所定の方向を高さ方向とする柱状であり、
上記光源が放射した光が、上記光の放射方向に対して反対の方向に漏れるのを防ぐ第一カバー部と、
上記第一カバー部の外側に位置し、上記所定の方向から、上記二つの係合保持部品のうち第一の係合保持部品の対カバー係合部が挿入され、上記所定の方向に対して反対方向から、上記二つの係合保持部品のうち第二の係合保持部品の対カバー係合部が挿入され、挿入された対カバー係合部を挟み込んで保持する係合挟持部と
を備えることを特徴とする表示装置。
【請求項２】
上記光源カバーは、さらに、
上記第一カバー部に設けられた二つのカバー嵌合穴を有し、
上記対カバー係合部は、
上記係合挟持部に挿入された場合に上記二つのカバー嵌合穴のいずれかに嵌合する対カバー嵌合爪を有する
ことを特徴とする請求項１に記載の表示装置。
【請求項３】
上記光源カバーは、金属製であり、上記係合保持部品は、樹脂製であることを特徴とする請求項１または２に記載の表示装置。
【請求項４】
上記器具本体は、更に、
所定の開口方向を除いて上記点灯回路の周囲を囲み、上記所定の開口方向が上記表示ユニットと略同一の大きさに開口した開口部を有し、上記開口方向から、上記光源カバーを保持した上記二つの係合保持部品の対本体係合部を挿入することが可能であり、挿入された上記二つの係合保持部品の対本体係合部を挟み込んで保持する本体枠と、
上記本体枠の内側であって、互いに略正対する位置に設けられた二つの本体嵌合凹部と
を有し、
上記対本体係合部は、上記本体枠に挿入された場合に上記二つの本体嵌合凹部のいずれかに嵌合し、上記対本体係合部が上記本体枠から抜けにくくする対本体嵌合爪を有する
ことを特徴とする請求項１〜３のいずれかに記載の表示装置。
【請求項５】
請求項１〜４のいずれかに記載の表示装置であって、
上記表示板は、避難誘導を示す図柄を表示する
ことを特徴とする誘導灯。
【発明の詳細な説明】
【技術分野】
【０００１】
この発明は、表示ユニットや光源ユニットが着脱可能である表示装置に関する。
【背景技術】
【０００２】
一般に、誘導灯などの表示装置は、表示ユニットにより器具本体の開口を閉塞する。器具本体に内蔵された電気部品の点検や交換をするため、器具本体から表示ユニットや光源ユニットを着脱する場合がある。
【先行技術文献】
【特許文献】
【０００３】
【特許文献１】特開２００２−２３６７１号公報
【特許文献２】特開２０００−１４９６２６号公報
【特許文献３】特開２００５−７７８００号公報
【特許文献４】実開昭５９−７８３６２号
【特許文献５】実開昭５９−７８６７４号
【発明の概要】
【発明が解決しようとする課題】
【０００４】
表示ユニットや光源ユニットの着脱が容易であれば、作業の効率化を図ることができる。また、着脱の回数が多い場合、器具本体が破損する危険がある。
【課題を解決するための手段】
【０００５】
この発明にかかる表示装置は、
光を放射する光源と、上記光源を保持し、上記光源で発生した熱を外部に放熱する光源カバーとを有する光源ユニットと、
上記光源を点灯させる点灯回路を有する器具本体と、
上記光源が放射する光を入射して発光する表示板を有する表示ユニットと、
上記光源カバーと係合して上記光源カバーを着脱自在に保持する対カバー係合部と、上記器具本体と係合して上記器具本体を着脱自在に保持する対本体係合部とを有する係合保持部品と
を備えることを特徴とする。
【発明の効果】
【０００６】
この発明にかかる表示装置によれば、係合保持部品を光源カバーに簡単装着でき、かつ容易には外れないようにすることができるという効果を奏する。
【図面の簡単な説明】
【０００７】
【図１】実施の形態１における誘導灯８００の構造を示す分解斜視図。
【図２】実施の形態１における誘導灯８００の内部構造を示す分解断面斜視図。
【図３】実施の形態１における表示ユニット突出部２２０及び光源ユニット突出部３２０と弾性体４００との係合の様子を右方向から見たところを示す模式端面図。
【図４】実施の形態２における誘導灯８００の内部構造を示す分解断面斜視図。
【図５】実施の形態２における表示ユニット突出部２２０及び光源ユニット突出部３２０と弾性体４００との係合の様子を右方向から見たところを示す模式端面図。
【図６】実施の形態３における誘導灯８００の内部構造を示す分解断面斜視図。
【図７】実施の形態４における光源ユニット３００の構造を示す分解斜視図。
【図８】実施の形態５における誘導灯８００の構造を示す分解斜視図。
【図９】実施の形態５における光源ユニット枠３１０の形状を示す斜視図。
【図１０】実施の形態５における光源ユニット枠３１０の形状を示す側面図。
【図１１】実施の形態５における係合保持部品３８０の形状を示す斜視図。
【図１２】実施の形態５における係合保持部品３８０の形状を示す正視図。
【図１３】実施の形態５における本体枠１１０の形状を示す一部拡大破断斜視図。
【図１４】実施の形態５における本体枠１１０と光源ユニット３００との係合の様子を示す一部破断平面図。
【発明を実施するための形態】
【０００８】
実施の形態１．
実施の形態１について、図１〜図３を用いて説明する。
【０００９】
図１は、この実施の形態における誘導灯８００の構造を示す分解斜視図である。
なお、配線等の細部は省略している。
【００１０】
誘導灯８００（表示装置）は、非常口への避難誘導を示す図柄を表示する装置である。
誘導灯８００は、本体１００、表示ユニット２００、光源ユニット３００を有する。
本体１００（器具本体）は、一面が大きく開口した中空直方体状である。本体１００は、端子台５１０、バッテリー５２０、点灯装置５３０（点灯回路）、点検スイッチ５４０などの電気部品を内蔵している。
表示ユニット２００は、本体１００の開口とほぼ同じ大きさの板状である。表示ユニット２００は、光源ユニット３００が発光した光を入射し、入射した光により、非常口など避難誘導を示す図柄を表示する。
光源ユニット３００は、表示ユニット２００の上に取り付ける。光源ユニット３００は、ＬＥＤや冷陰極ランプなどの光源を内蔵している。光源ユニット３００が内蔵する光源は、点灯装置５３０から電力の供給を受けて発光する。
【００１１】
端子台５１０は、商用電源などからの配線と、点灯装置５３０への配線とを接続する。
バッテリー５２０は、点灯装置５３０を介して、商用電源などから電力の供給を受けて、充電される充電池である。
点灯装置５３０は、端子台５１０を介して、商用電源などから電力の供給を受けて、光源ユニット３００が内蔵する光源を点灯する電圧を生成する。また、点灯装置５３０は、停電などにより商用電源から電力の供給を受けられない場合には、バッテリー５２０から電力の供給を受けて、光源ユニット３００が内蔵する光源を点灯する電圧を生成する。
点検スイッチ５４０は、光源ユニット３００が内蔵する光源やバッテリー５２０に異常がないかを点検するためのスイッチを含む装置である。点検スイッチ５４０は、本体１００の下面に露出したボタン（図示せず）を有し、利用者は、このボタンを押すことにより、異常の有無を点検する。また、点灯装置５３０は、本体１００の下面に露出したＬＥＤなどの異常表示部（図示せず）を有し、この異常表示部の点灯状態により、点検結果を表示する。
【００１２】
図２は、この実施の形態における誘導灯８００の内部構造を示す分解断面斜視図である。
この図において、本体１００は、右前斜め下方向から見たところを示している。表示ユニット２００は、右後斜め上方向から見たところを示している。光源ユニット３００は、右後斜め下方向から見たところを示している。
なお、端子台５１０などの電気部品や、電気部品を本体１００内部に取り付けるための構造は、省略している。
【００１３】
本体１００は、本体枠１１０、弾性体取付部１２０を有する。
本体枠１１０は、本体１００の筐体である。本体枠１１０は、前方向がほぼ全面に渡って大きく開口した中空直方体状である。
本体枠１１０は、上部１１１、左側部１１２、右側部（図示せず）、下部１１３、後部１１４を有する。
【００１４】
弾性体取付部１２０は、弾性体４００を取り付けるための構造である。弾性体取付部１２０は、左側部１１２の内面（右方向）上寄りに位置し、左側部１１２の内面から右方向に突出している。また、右側部から突出したもう一つの弾性体取付部１２０が、左右対称の位置に設けられている（図示せず）。
なお、この図において弾性体取付部１２０は直方体状であるが、弾性体４００を取り付けることができる形状であれば、弾性体取付部１２０の形状は直方体状である必要はない。
【００１５】
弾性体４００は、板バネなど、強い変形復元力を有する部品であり、弾性体取付部１２０の前面にしっかりと固定されている。右側部から突出したもう一つの弾性体取付部１２０にも同様に、弾性体４００が固定されている。
【００１６】
なお、弾性体４００は、プラスチックなどの合成樹脂を材料とするものであってもよいが、板バネなどの弾性限界点が高い材料を用いるほうが好ましい。
また、弾性体４００は、本体枠１１０や弾性体取付部１２０と同じ材料であってもよいが、本体枠１１０や弾性体取付部１２０とは別個の部品として製造し、弾性体取付部１２０に取り付けることが好ましい。弾性体４００を本体枠１１０と一体に形成すると、弾性体４００の変形が本体枠１１０に伝わり、本体枠１１０がひび割れるなど破損の原因となる可能性があるからである。弾性体４００が本体枠１１０と別個の部品であれば、弾性体４００が万一破損した場合であっても、弾性体４００だけを交換すればよく、誘導灯８００全体の耐用年数を長くすることができる。
【００１７】
嵌合爪部１３０は、下部１１３の内面から上方向に突出した爪状である。図１に見えるように、本体１００の下部１１３には、嵌合爪部１３０が等間隔に３つ設けられている。ただし、嵌合爪部１３０の数は３つに限らず、１つでもよいし、もっと多くてもよい。
【００１８】
表示ユニット２００は、本体１００の前面開口とほぼ同じ大きさであり、本体１００に表示ユニット２００を取り付けることにより、本体１００の前面開口を閉塞する。
表示ユニット２００は、表示ユニット枠２１０、表示ユニット突出部２２０、支持突出部２３０、遮光突出部２４０、導光板２６０、表示パネル２７０を有する。
表示ユニット枠２１０は、表示ユニット２００の筐体である。表示ユニット枠２１０は、中空直方体の６面のうち、左面（左側部２１２）、右面（右側部、図示せず）、下面（下部２１３）及び後面（後部２１４）の４面からなる。
【００１９】
表示ユニット突出部２２０は、表示ユニット枠２１０の後部２１４の後方向・上寄り左端に位置し、後部２１４の後面から後ろ方向に突出している。表示ユニット突出部２２０は、弾性体４００と係合する形状を有する。表示ユニット突出部２２０は、表示ユニット２００を本体１００に取り付けたとき、弾性体４００と係合して、表示ユニット２００を固定する役割を果たす。
また、後部２１４の上寄り右端に位置するもう一つの表示ユニット突出部２２０が、左右対称の位置に設けられている（図示せず）。もう一つの表示ユニット突出部２２０は、右側部から突出したもう一つの弾性体取付部１２０に固定された弾性体４００と係合する。
【００２０】
支持突出部２３０は、表示ユニット枠２１０の後部２１４の下端に位置し、後部２１４の後面から後ろ方向に突出している。支持突出部２３０は、表示ユニット２００を本体１００に取り付けたとき、本体枠１１０の下部１１３の上面に当接し、表示ユニット２００が下に動かないよう支持する。
嵌合穴２３１は、支持突出部２３０を上下方向に貫通した穴である。嵌合穴２３１は、嵌合爪部１３０と嵌合する形状であり、嵌合爪部１３０と対応する位置に設けられている。表示ユニット２００を本体に取り付けたとき、嵌合爪部１３０と嵌合穴２３１とが嵌合し、表示ユニット２００の下側が前方向に動かないよう固定される。
【００２１】
遮光突出部２４０は、表示ユニット枠２１０の後部２１４の後面左端及び右端に位置し、後部２１４の後面から後ろ方向に突出している。遮光突出部２４０は、表示ユニット２００を本体１００に取り付けたとき、本体枠１１０と表示ユニット枠２１０との間に隙間から光が漏れるのを防ぐ。
【００２２】
導光板２６０は、表示ユニット枠２１０の内側に位置し、平板状である。導光板２６０は、上面から光を入射し、入射した光を反射・屈折・拡散等して、前面から均等に放射する。
表示パネル２７０は、消防法により定められた非常口を示す図柄などが印刷された合成樹脂製の平板である。表示パネル２７０は、導光板２６０の前方向に位置する。表示パネル２７０は、導光板２６０の前面から放射された光を透過することにより光り、印刷された図柄を表示する。
なお、表示パネル２７０に印刷された図柄は、他の図柄であってもよい。
【００２３】
光源ユニット３００は、光源ユニット枠３１０、光源ユニット突出部３２０、光源ユニット係合部３３０、ＬＥＤ基板３５０、ＬＥＤ３５１を有する。
光源ユニット枠３１０は、光源ユニット３００の筐体であり、中空直方体の６面のうち、上面（上部３１１）及び前面（前部３１５）の２面からなる。
【００２４】
光源ユニット突出部３２０は、光源ユニット枠３１０の前部３１５の上左端に位置し、前部３１５の後面から上部３１１に接して突出している。光源ユニット突出部３２０は、弾性体４００と係合する形状を有する。光源ユニット突出部３２０は、光源ユニット３００を本体１００に取り付けたとき、弾性体４００と係合して、光源ユニット３００を固定する役割を果たす。
また、前部３１５の上右端に位置するもう一つの光源ユニット突出部３２０が左右対称の位置に設けられている（図示せず）。もう一つの光源ユニット突出部３２０は、右側部から突出したもう一つの弾性体取付部１２０に固定された弾性体４００と係合する。
【００２５】
光源ユニット係合部３３０は、光源ユニット枠３１０の前部３１５の後方向・左端に位置し、前部３１５の後面から突出している。光源ユニット係合部３３０は、表示ユニット枠２１０の左側部２１２の内面（右方向の面）にある表示ユニット係合部（図示せず）と係合する形状を有する。光源ユニット係合部３３０は、光源ユニット３００及び表示ユニット２００を本体１００に取り付けたとき、表示ユニット係合部と係合して、光源ユニット３００と表示ユニット２００との位置関係を一定に保つ。
【００２６】
ＬＥＤ基板３５０は、光源ユニット枠３１０の上部３１１内面（下方向の面）の中央に位置し、上部３１１の内面に固定されている。
ＬＥＤ基板３５０は、ＬＥＤ３５１などの光源と、光源を点灯するための電子回路とを実装している。ＬＥＤ基板３５０は、図示していない配線を介して、点灯装置５３０から電力の供給を受け、ＬＥＤ３５１を点灯する。
【００２７】
図３は、この実施の形態における表示ユニット突出部２２０及び光源ユニット突出部３２０と弾性体４００との係合の様子を右方向から見たところを示す模式端面図である。
【００２８】
弾性体４００は、細長い板を上下対称に屈曲させた形状であり、右方向から見ると、アルファベットの「Ｍ」と「Ｗ」とを後側で繋げたような形状である。弾性体４００は、第一腕部４１１、第一屈曲部４１２、第二腕部４１３、第二屈曲部４１４、第三腕部４１５、第三屈曲部４１６、基部４１７を有する。
【００２９】
基部４１７は、弾性体４００のちょうど真ん中の部分であり、弾性体取付部１２０に弾性体４００を取り付けるため、平板状である。弾性体４００を弾性体取付部１２０に固定する方法は問わないが、例えば、ネジ止めする場合であれば、基部４１７はネジ穴を有する。
【００３０】
弾性体４００の上半分の形状は、基部４１７の上端が第三屈曲部４１６で前方向に所定の半径で鋭角に屈曲して、前斜め下方向にまっすぐ伸びる第三腕部４１５に連なり、更に、第三腕部４１５の先端が第二屈曲部４１４で前方向に所定の半径で鋭角に屈曲して、前斜め上方向にまっすぐ伸びる第二腕部４１３に連なり、更に、第二腕部４１３の先端が第一屈曲部４１２で前方向に所定の半径で鋭角に屈曲して、前斜め下方向にまっすぐ伸びる第一腕部４１１に連なっている。第一腕部４１１は、弾性体４００の先端であり、第三腕部４１５よりも短いが、第二腕部４１３よりも長い。
なお、第一屈曲部４１２、第二屈曲部４１４、第三屈曲部４１６の屈曲半径は、同一であってもよいし、それぞれ異なっていてもよい。
弾性体４００の下半分の形状は、上半分と面対称である。
【００３１】
表示ユニット突出部２２０は、左右方向を高さ方向とする柱状である。表示ユニット突出部２２０の底面の形状はほぼ長方形であり、後方向の２つの角が丸く面取りされ、上辺に凹みがある。
凹部２２４は、この凹みに当たる部分であり、弾性体４００の第一屈曲部４１２と係合する。
凸部２２１は、底面長方形の上後ろ方向の角に当たる部分であり、弾性体４００の第二屈曲部４１４と係合する。
【００３２】
光源ユニット突出部３２０は、左右方向を高さ方向とする柱状である。光源ユニット突出部３２０の先端（後側の部分）は、表示ユニット突出部２２０と上下対称な形状である。凸部３２１は表示ユニット突出部２２０の凸部２２１に対応し、弾性体４００の第一屈曲部４１２と係合する。凹部３２４は、表示ユニット突出部２２０の凹部２２４に対応し、弾性体４００の第二屈曲部４１４と係合する。
【００３３】
表示ユニット２００を本体１００に取り付ける場合、作業者は、表示ユニット２００を本体１００に対して、前方向から接近させる。
すると、表示ユニット突出部２２０の凸部２２１が弾性体４００の第一腕部４１１に当接し、当接点から弾性体４００に力が加わるので、弾性体４００が弾性変形して、第一腕部４１１、第一屈曲部４１２、第二腕部４１３、第二屈曲部４１４、第三腕部４１５が上斜め後ろ方向に移動する。
これにより、表示ユニット突出部２２０が更に後ろ方向に移動できるようになり、凸部２２１が第一屈曲部４１２よりも後ろに入ると、弾性体４００が復元して、第一腕部４１１、第一屈曲部４１２、第二腕部４１３、第二屈曲部４１４、第三腕部４１５が元の位置に戻る。
その結果、第一屈曲部４１２が凹部２２４に係合し、凸部２２１が第二屈曲部４１４に係合して、表示ユニット２００が本体１００に固定される。
【００３４】
このとき、支持突出部２３０の下面は下部１１３の上面に当接し、表示ユニット２００が下方向に移動しないよう、支持突出部２３０が表示ユニット２００を支持している。
このため、表示ユニット２００を本体１００から取り外すには、表示ユニット２００を前方向に移動させる必要がある。表示ユニット２００を前方向に移動させようとすると、凸部２２１が第二腕部４１３と当接し、当接点から弾性体４００に力が加わる。このとき働く力の方向は、表示ユニット２００を本体１００に取り付ける場合に弾性体４００に加わる力の方向と異なり、第一腕部４１１、第一屈曲部４１２、第二腕部４１３を上斜め前方向に移動させようとする。このため、表示ユニット２００を取り外せる位置まで第一屈曲部４１２を移動させるためには、取り付け時よりも大きな力を加える必要がある。
【００３５】
光源ユニット３００を本体１００に取り付ける場合も同様に、作業者は、光源ユニット３００を本体１００に対して前方向から接近させ、凸部３２１が第一腕部４１１に当接して、弾性体４００が弾性変形し、凸部３２１と第二屈曲部４１４、凹部３２４と第一屈曲部４１２が係合して、光源ユニット３００が本体１００に固定される。
【００３６】
なお、光源ユニット３００の光源ユニット係合部３３０と表示ユニット２００の表示ユニット係合部とを係合させて、表示ユニット２００に光源ユニット３００を取り付けたのち、光源ユニット３００と一体化した表示ユニット２００を本体１００に取り付けてもよい。
その場合、表示ユニット突出部２２０と弾性体４００との係合により、光源ユニット３００と一体化した表示ユニット２００を本体１００に取り付けることとし、光源ユニット突出部３２０がなくてもよい。あるいは、逆に、光源ユニット突出部３２０と弾性体４００との係合により、光源ユニット３００と一体化した表示ユニット２００を本体１００に取り付けることとし、表示ユニット突出部２２０がなくてもよい。
【００３７】
あるいは、表示ユニット突出部２２０と弾性体４００との係合により、表示ユニット２００を本体１００に取り付け、弾性体４００を用いない他の方法により、光源ユニット３００を本体１００に取り付けてもよい。逆に、光源ユニット突出部３２０と弾性体４００との係合により、光源ユニット３００を本体１００に取り付け、弾性体４００を用いない他の方法により、表示ユニット２００を本体１００に取り付けてもよい。
【００３８】
また、弾性体４００及び表示ユニット突出部２２０、光源ユニット突出部３２０の形状は一例であり、表示ユニット２００や光源ユニット３００を本体１００にしっかりと固定できる形状であれば、他の形状であってもよい。
この実施の形態で説明した弾性体４００の形状は、１枚の板バネの両端を用いて、一方で表示ユニット２００を固定し、他方で光源ユニット３００を固定することができるので、１つの部品で２つの部材を固定する役割を果たし、部品数を削減できるので好ましい。
【００３９】
この実施の形態における誘導灯８００は、本体１００の内部に弾性体４００を固定し、表示ユニット突出部２２０や光源ユニット突出部３２０と弾性体４００とを係合させることにより、表示ユニット２００や光源ユニット３００を本体１００に取り付けるので、表示ユニット２００や光源ユニット３００を取り付け、取り外しする際に弾性体４００に加わる力が、本体枠１１０に直接加わらず、本体枠１１０の破損を防ぐことができるという効果を奏する。
【００４０】
特に、弾性体４００は本体枠１１０と別部品なので、本体枠１１０の破損の可能性を低くすることができる。また、弾性体４００が塑性変形するなどして破損した場合であっても、弾性体４００を交換すればよく、誘導灯８００全体の寿命を長くすることができる。
なお、弾性体４００として、板バネなど金属製の部品を用いれば、ＬＥＤ３５１の発熱などにより高温となっても劣化しないので、好ましい。
【００４１】
実施の形態２．
実施の形態２について、図４〜図５を用いて説明する。
【００４２】
図４は、この実施の形態における誘導灯８００の内部構造を示す分解断面斜視図である。
この図において、本体１００及び後側の光源ユニット３００は、右前斜め下方向から見たところを示している。後側の表示ユニット２００は、右前斜め上方向から見たところを示している。前側の表示ユニット２００は、右後斜め上方向から見たところを示している。前側の光源ユニット３００は、右後斜め下方向から見たところを示している。
なお、実施の形態１で説明した誘導灯８００と共通する部分については、同一の符号を付し、説明を省略する。また、端子台５１０などの電気部品や、電気部品を本体１００内部に取り付けるための構造は省略している。
【００４３】
誘導灯８００は、２つの表示ユニット２００と、２つの光源ユニット３００とを有する。一方の表示ユニット２００は本体１００の前面に取り付け、他方の表示ユニット２００は本体１００の後面に取り付ける。
【００４４】
本体枠１１０は、略中空直方体状である。本体枠１１０は、直方体の６面のうち、上面（上部１１１）、左面（左側部１１２）、右面（右側部、図示せず）、下面（下部１１３）の４面からなり、前面及び後面は、ほぼ全面にわたり大きく開口している。
【００４５】
本体１００は、４つの弾性体取付部１２０を有する。
弾性体取付部１２０の１つは、本体枠１１０の上部１１１内面（下面）左寄りに位置し、上部１１１の内面から下方向に突出している。
弾性体取付部１２０の他の１つは、本体枠１１０の下部１１３内面（上面）左寄りに位置し、下部１１３の内面から上方向に突出している。
弾性体取付部１２０の残りの２つ（図示せず）は、本体枠１１０の上部１１１内面右寄り及び本体枠１１０の下部１１３内面右寄りに位置し、図示した２つの弾性体取付部１２０とほぼ左右対称である。
【００４６】
また、誘導灯８００は、４つの弾性体４００を有する。
４つの弾性体４００は、４つの弾性体取付部１２０それぞれにしっかりと固定されている。上部１１１から突出した２つの弾性体取付部１２０に固定された２つの弾性体４００は、弾性体取付部１２０の下面に固定されている。また、下部１１３から突出した２つの弾性体取付部１２０に固定された２つの弾性体４００は、弾性体取付部１２０の上面に固定されている。
【００４７】
表示ユニット２００は、２つの表示ユニット突出部２２０を有する。
表示ユニット突出部２２０の１つは、表示ユニット枠２１０の後部２１４の後面下端・左寄りに位置し、後部２１４の後面から後ろ方向に突出している。
表示ユニット突出部２２０の他の１つ（図示せず）は、表示ユニット枠２１０の後部２１４の後面下端右寄りに位置し、図示した表示ユニット突出部２２０とほぼ左右対称である。
【００４８】
遮光突出部２４０は、表示ユニット枠２１０の後部２１４の後面左端及び右端だけでなく、下端にも設けられ、「コ」字状になっている。
【００４９】
光源ユニット３００は、２つの光源ユニット突出部３２０を有する。
光源ユニット突出部３２０の１つは、光源ユニット枠３１０の上部３１１の後面左寄りに位置し、上部３１１の後面から後ろ方向に突出している。
光源ユニット突出部３２０の他の１つ（図示せず）は、光源ユニット枠３１０の上部３１１の後面右寄りに位置し、図示した光源ユニット突出部３２０とほぼ左右対称である。
【００５０】
図５は、この実施の形態における表示ユニット突出部２２０及び光源ユニット突出部３２０と弾性体４００との係合の様子を右方向から見たところを示す模式端面図である。
【００５１】
弾性体４００は、細長い板を前後対称に屈曲させた形状である。弾性体４００は、第一腕部４２１、第一屈曲部４２２、第二腕部４２３、第二屈曲部４２４、第三腕部４２５、第三屈曲部４２６、第四腕部４２７、第四屈曲部４２８、基部４２９を有する。
【００５２】
以下、２つの弾性体４００のうち、上部１１１から突出した弾性体取付部１２０に取り付けられた弾性体４００について説明する。下部１１３から突出した弾性体取付部１２０に取り付けられた弾性体４００は、これと上下対称である。また、弾性体４００は、前後対称なので、前半分について説明する。
【００５３】
基部４２９は、弾性体４００のちょうど真ん中の部分であり、弾性体取付部１２０の弾性体４００を取り付けるため、平板状である。
第四屈曲部４２８は、基部４２９の前端（及び後端）を下方向に所定の半径で鈍角に屈曲させた形状である。
第四腕部４２７は、第四屈曲部４２８の先端に接続している屈曲していない部分である。第四屈曲部４２８が鈍角に屈曲しているので、第四腕部４２７は前斜め下方向に伸びている。
【００５４】
第三屈曲部４２６は、第四腕部４２７の先端を前方向に所定の半径で屈曲させた形状である。第三屈曲部４２６の屈曲角は、第四屈曲部４２８の屈曲角よりも大きい。
第三腕部４２５は、第三屈曲部４２６の先端に接続している屈曲していない部分である。第三屈曲部４２６の屈曲により、第三腕部４２５は前斜め上方向に伸びている。
【００５５】
第二屈曲部４２４は、第三腕部４２５の先端を上方向に所定の半径で屈曲させた形状である。
第二腕部４２３は、第二屈曲部４２４の先端に接続している屈曲していない部分である。第二屈曲部４２４の屈曲により、第二腕部４２３は後ろ斜め上方向に伸びている。
【００５６】
第一屈曲部４２２は、第二腕部４２３の先端を前方向に所定の半径でほぼ１８０度屈曲させた形状である。
第一腕部４２１は、第一屈曲部４２２の先端に接続している屈曲していない部分であり、弾性体４００の先端である。第一屈曲部４２２の屈曲により、第一腕部４２１は、前斜め下方向に伸びている。
【００５７】
表示ユニット突出部２２０は、左右方向を高さ方向とする柱状である。表示ユニット突出部２２０の底面の形状は、先端が後ろ方向を向き上側に返しのある鏃（やじり）状である。表示ユニット突出部２２０は、鏃の根元に当たる部分が後部２１４と接続している。鏃の下側に当たる部分は平面状であり、鏃の先端に当たる部分は、丸く面取りされている。凸部２２１は、鏃の返しに当たる部分であり、後側が後ろ斜め上向きの平面状であり、前側が前向きの平面状である。また、上側の角が丸く面取りされている。鏃の上側に当たる平面と凸部２２１の前側の平面とが接続する位置が、凹部２２４であり、丸く処理されている。表示ユニット２００を本体１００に取り付けると、凹部２２４が弾性体４００の第一屈曲部４２２と係合する。
【００５８】
光源ユニット突出部３２０は、左右方向を高さ方向とする柱状である。光源ユニット突出部３２０の先端（後側の部分）は、表示ユニット突出部２２０と上下対称な形状である。凸部３２１は表示ユニット突出部２２０の凸部２２１に対応する。凹部３２４は、表示ユニット突出部２２０の凹部２２４に対応し、弾性体４００の第一屈曲部４２２と係合する。
【００５９】
表示ユニット２００を本体１００の前側に取り付ける場合、作業者は、表示ユニット２００を本体１００に対して前方向から接近させる。
すると、表示ユニット突出部２２０の凸部２２１が、弾性体４００の第一腕部４２１または第一屈曲部４２２に当接し、当接点から弾性体４００に力が加わるので、弾性体４００が弾性変形して、第一腕部４２１、第一屈曲部４２２、第二腕部４２３、第二屈曲部４２４、第三腕部４２５が上方向に移動する。
これにより、表示ユニット突出部２２０が更に後ろ方向に移動できるようになり、凸部２２１が第一屈曲部４２２よりも後ろに入ると、弾性体４００が復元して、第一腕部４２１、第一屈曲部４２２、第二腕部４２３、第二屈曲部４２４、第三腕部４２５が元の位置に戻る。
その結果、第一屈曲部４２２が凹部２２４に係合して、表示ユニット２００が本体１００に固定される。
【００６０】
このとき、表示ユニット突出部２２０の下面が下部１１３の上面に当接して、表示ユニット２００が下方向に移動しないよう支持している。
このため、表示ユニット２００を本体１００から取り外すには、表示ユニット２００を前方向に移動させる必要がある。表示ユニット２００を前方向に移動させようとすると、凸部２２１が第一屈曲部４２２と当接し、当接点から弾性体４００に力が加わる。このとき働く力の方向は、表示ユニット２００を本体１００に取り付ける場合に弾性体４００に加わる力の方向と異なり、第一腕部４２１、第一屈曲部４２２、第二腕部４２３、第二屈曲部４２４、第三腕部４２５を前方向に移動させようとする。このため、表示ユニット２００を取り外せる位置まで第一屈曲部４２２を移動させるためには、取り付け時よりも大きな力を加える必要がある。
【００６１】
光源ユニット３００を本体１００の前側に取り付ける場合も同様に、作業者は、光源ユニット３００を本体１００に対して前方向から接近させ、凸部３２１が第一腕部４２１または第一屈曲部４２２に当接して、弾性体４００が弾性変形し、凹部３２４と第一屈曲部４２２とが係合して、光源ユニット３００が本体１００に固定される。
【００６２】
表示ユニット２００及び光源ユニット３００を本体１００の後側に取り付ける場合も同様である。
【００６３】
この実施の形態における誘導灯８００は、実施の形態１と同様、弾性体４００を本体枠１１０と別部品とすることにより、表示ユニット２００や光源ユニット３００を取り付け・取り外しする際に弾性体４００に加わる力が本体枠１１０に直接伝わらないようにし、本体枠１１０の破損を防ぐ。
【００６４】
この実施の形態における誘導灯８００は、前方向及び後ろ方向の双方に表示ユニット２００及び光源ユニット３００を取り付けた両面灯である。弾性体４００は、１つの部品で前側の表示ユニット２００及び後側の表示ユニット２００双方（あるいは、前側の光源ユニット３００及び後側の光源ユニット３００双方）を固定する役割を果たすので、部品数を少なくすることができる。
【００６５】
また、弾性体４００及び光源ユニット突出部３２０を熱伝導率の高い材料で構成すれば、前方向の光源ユニット３００と後方向の光源ユニット３００とを熱接続することができる。そうすれば、２つの光源ユニット３００の放熱効率が異なる場合でも、光源ユニット３００の温度をほぼ等しくすることができるので、好ましい。
【００６６】
なお、弾性体４００及び表示ユニット突出部２２０、光源ユニット突出部３２０の形状は一例であり、実施の形態１で説明したのと同様の形状であってもよいし、他の形状であってもよい。
また、表示ユニット２００及び光源ユニット３００のいずれか一方のみを、弾性体４００により本体１００に固定し、他方は、他の方法により本体１００または本体１００に固定された表示ユニット２００または光源ユニット３００に固定することとしてもよい。
【００６７】
実施の形態３．
実施の形態３について、図６を用いて説明する。
【００６８】
図６は、この実施の形態における誘導灯８００の内部構造を示す分解断面斜視図である。
この図において、本体１００及び後側の光源ユニット３００は、右前斜め下方向から見たところを示している。後側の表示ユニット２００は、右前斜め上方向から見たところを示している。前側の表示ユニット２００は、右後斜め上方向から見たところを示している。前側の光源ユニット３００は、右後斜め下方向から見たところを示している。
なお、実施の形態１または実施の形態２で説明した誘導灯８００と共通する部分については、同一の符号を付し、説明を省略する。また、端子台５１０などの電気部品や、電気部品を本体１００内部に取り付けるための構造は、省略している。
【００６９】
誘導灯８００は、両面灯であり、２つの表示ユニット２００、２つの光源ユニット３００を有する。
また、誘導灯８００は、２つの弾性体４００を有する。
【００７０】
弾性体４００の一つは、本体枠１１０の左側部１１２内側（右側）上端から突出した弾性体取付部１２０の右面に固定されている。
弾性体４００の他の一つ（図示せず）は、本体枠１１０の右側部内側（左側）上端から突出した弾性体取付部１２０の左面に、図示した弾性体４００と左右対称に固定されている。
【００７１】
弾性体４００は、実施の形態２で説明した弾性体４００とほぼ同じ形状である。実施の形態２で説明した弾性体４００と異なる点は、短手方向のほぼ中央に、長手方向とほぼ平行な切れ目がある点である。切れ目は、両側の第一腕部から基部の一部まで達し、切れ目の上側と切れ目の下側は、基部でつながっている。
また、実施の形態２と比較して、弾性体４００を本体枠１１０に取り付ける取り付け方向が異なり、弾性体４００の弾性変形により、第一腕部などが左右方向に移動する向きに固定されている。
【００７２】
表示ユニット２００は、２つの表示ユニット突出部２２０を有する。
表示ユニット突出部２２０の一つは、表示ユニット枠２１０の後部２１４の後方向上寄り左端に位置し、後部２１４の後面から突出している。表示ユニット突出部２２０の形状は、実施の形態２で説明した表示ユニット突出部２２０と同様であるが、向きが異なり、凸部が右方向にある。表示ユニット２００を本体１００に取り付けると、切れ目によって先端が２つに分かれた弾性体４００の下側の部分に、表示ユニット突出部２２０が係合する。
表示ユニット突出部２２０の他の一つ（図示せず）は、表示ユニット枠２１０の後部２１４の後方向上寄り右端に位置し、図示した表示ユニット突出部２２０と左右対称である。
【００７３】
光源ユニット３００は、２つの光源ユニット突出部３２０を有する。
光源ユニット突出部３２０の一つは、光源ユニット枠３１０の前部３１５の後方向・左端に位置し、前部３１５の後面から突出している。光源ユニット突出部３２０の形状は、実施の形態２で説明した光源ユニット突出部３２０と同様であるが、向きが異なり、凸部が右方向にある。光源ユニット３００を本体１００に取り付けると、切れ目によって先端が２つに分かれた弾性体４００の上側の部分に、光源ユニット突出部３２０が係合する。
光源ユニット突出部３２０の他の一つ（図示せず）は、光源ユニット枠３１０の前部３１５の後方向右端に位置し、図示した光源ユニット突出部３２０と左右対称である。
【００７４】
この実施の形態における弾性体４００は、１つの弾性体４００が、前後両面の表示ユニット２００及び光源ユニット３００の表示ユニット突出部２２０及び光源ユニット突出部３２０と係合し、表示ユニット２００及び光源ユニット３００を固定する役割を果たす。したがって、部品数を更に少なくすることができる。
【００７５】
また、表示ユニット２００及び光源ユニット３００のどちらか一方だけを取り付け・取り外しする場合であっても、切れ目によって弾性体４００の先端が２つに分かれているので、固定されたままにしておきたい表示ユニット２００または光源ユニット３００の表示ユニット突出部２２０または光源ユニット突出部３２０と係合している部分は変形せず、外すつもりのない表示ユニット２００または光源ユニット３００が外れてしまうことがない。
【００７６】
実施の形態４．
実施の形態４について、図７を用いて説明する。
【００７７】
図７は、この実施の形態における光源ユニット３００の構造を示す分解斜視図である。
なお、実施の形態１で説明した光源ユニット３００と共通する部分については、同一の符号を付し、ここでは説明を省略する。
【００７８】
光源ユニット３００のうち、光源ユニット枠３１０を一つの部品で構成し、光源ユニット突出部３２０及び光源ユニット係合部３３０をもう一つの部品で構成し、両者をネジ３９０などの固定部品を用いて固定する。
光源ユニット枠３１０である部品の材料は、金属など熱伝導率の大きい材料を用いる。光源ユニット突出部３２０及び光源ユニット係合部３３０である部品の材料は、金属や合成樹脂を用いるが、これに限るものではない。
【００７９】
光源ユニット枠３１０は、内側がＬＥＤ基板３５０と接している。光源ユニット枠３１０の熱伝導率が大きいので、ＬＥＤ３５１で発生した熱を効率的に放熱することが可能である。
【００８０】
光源ユニット枠３１０の材料として金属を用いる場合、アルミニウムを用いることが特に好ましい。アルミニウムは、熱伝導率が大きく、安価で、加工性に優れているからである。
また、光源ユニット突出部３２０及び光源ユニット係合部３３０が別部品なので、光源ユニット枠３１０を押出し成形により製造することができる。押出し成形加工は、断面形状が一定の部品を製造するのに適しているからである。また、ダイカスト成形加工と比較して、製造コストを低くすることができる。
【００８１】
光源ユニット突出部３２０は、光源ユニット３００を本体１００に取り付け・取り外しするとき、弾性体４００と当接して力が加わるので、破損する場合がある。その場合、光源ユニット突出部３２０が別部品なので、光源ユニット３００全体を交換する必要はなく、破損した部品のみを交換することができる。
【００８２】
なお、ここでは実施の形態１で説明した形状の光源ユニット３００について説明したが、光源ユニット３００の形状はこれに限るものではなく、実施の形態２もしくは実施の形態３で説明した形状であってもよい。
【００８３】
実施の形態５．
実施の形態５について、図８〜図１３を用いて説明する。
【００８４】
図８は、この実施の形態における誘導灯８００の構造を示す分解斜視図である。
なお、実施の形態１〜実施の形態４で説明した誘導灯８００と共通する部分については、同一の符号を付し、ここでは説明を省略する。
この実施の形態における誘導灯８００は、光源ユニット３００の構造が、実施の形態１〜実施の形態４で説明したものと異なる。
【００８５】
図９は、この実施の形態における光源ユニット枠３１０の形状を示す斜視図である。
斜視図（ａ）は、光源ユニット枠３１０を右斜め上前方から見たところを表わす。なお、光源ユニット枠３１０の形状は、導光板２６０の上部の形状と密接に関係するため、導光板２６０も合わせて示す。斜視図（ｂ）は、光源ユニット枠３１０を右斜め下後方から見たところを表わす。
図１０は、この実施の形態における光源ユニット枠３１０の形状を示す側面図である。
この図は、光源ユニット枠３１０を右から見たところを表わす。
【００８６】
この実施の形態における光源ユニット３００は、実施の形態４と同様、光源ユニット枠３１０を構成する部品と、光源ユニット突出部３２０及び光源ユニット係合部３３０を構成する部品とが、別部品になっている。以下、光源ユニット突出部３２０及び光源ユニット係合部３３０を構成する部品を、係合保持部品３８０と呼ぶ。また、光源ユニット３００から係合保持部品３８０を除いた部分を「光源ユニット３６０」と呼ぶ。
【００８７】
光源ユニット枠３１０（光源カバー）は、上部３１１（第一カバー部）、前部３１５（第二カバー部）、係合挟持部３１６を有する。
上部３１１は、ＬＥＤ３５１（光源）が放射した光が上方向に漏れるのを防ぐカバーである。上部３１１には、二つのカバー嵌合穴３１８と四つの基板取付穴３１９とが設けられている。
カバー嵌合穴３１８は、光源ユニット枠３１０の両端付近にそれぞれ設けられている。カバー嵌合穴３１８は、ほぼ長方形の貫通穴である。
基板取付穴３１９は、ＬＥＤ基板３５０を固定するためのネジを通す貫通穴である。
前部３１５は、ＬＥＤ３５１が放射した光が前方向に漏れるのを防ぐカバーである。
係合挟持部３１６は、上部３１１の上（外側）に設けられている。
【００８８】
光源ユニット枠３１０は、アルミニウムなど放熱性の高い金属（熱伝導性部材）で形成する。光源ユニット枠３１０は、ＬＥＤ３５１で発生した熱を外部に放熱する。
光源ユニット枠３１０は、カバー嵌合穴３１８、基板取付穴３１９など、ごく一部を除き、断面形状が一定の柱状体である。柱状体である光源ユニット枠３１０の高さ方向Ｈは、誘導灯８００の左右方向と一致し、光源ユニット枠３１０に取り付けたＬＥＤ基板３５０上で一直線上に並んだ複数のＬＥＤ３５１が並ぶ直線の方向とほぼ同一方向である。
【００８９】
光源ユニット枠３１０の断面の形状は、概略逆Ｌ字状であり、「Ｌ」の横棒部分から上側に突出した二つの突起がある。前部３１５は、「Ｌ」の縦棒部分に相当する。上部３１１は、「Ｌ」の横棒部分に相当する。係合挟持部３１６は、「Ｌ」の横棒部分から上側に突出した二つの突起に相当する。
【００９０】
前部３１５は、外側は平らだが、厚みの異なる三つの部分（先端部６５１、中間部６５２、根元部６５３）から構成される。先端部６５１は、前部３１５の中で最も厚みの薄い部分である。光源ユニット３００が表示ユニット２００と係合したとき、先端部６５１が表示パネル２７０の前に被さることにより、光源ユニット３００と表示ユニット２００との間の隙間から、ＬＥＤ３５１が放射した光が前方向に漏れるのを防ぐ。中間部６５２は、厚みが連続的に変化する部分であり、一番下の部分が一番厚く、上にいくほど薄くなる。中間部６５２の形状は、導光板２６０の導光板テーパー部２６１に沿った形状である。中間部６５２は、例えば、白色塗装されていて、光を反射する。
【００９１】
ＬＥＤ３５１が放射した光は、導光板２６０へ入射する。なお、導光板２６０の上端の左右には、導光板突起部２６２がある。導光板突起部２６２は、ＬＥＤ３５１が放射した光が効率よく導光板２６０に入射するようにするとともに、ＬＥＤ基板３５０と、導光板２６０との間のクリアランスを所定値に保つ。
導光板２６０へ入射した光は、原則として、導光板２６０の前面及び背面で全反射を繰り返しながら、導光板２６０の中を通り、下方へ伝わる。導光板２６０の背面側には、光を拡散させるための細かな凹凸が設けられていて、導光板２６０の中を伝わった光は、この凹凸に当たると拡散し、表示パネル２７０のほうへ導かれる。これにより、拡散した光が表示パネル２７０を背面側から照らす。
【００９２】
中間部６５２は、光源ユニット３００が表示ユニット２００と係合したとき、導光板２６０の導光板テーパー部２６１で反射しきれずに導光板２６０から漏れ出した光を反射して、導光板２６０のなかに戻す。また、中間部６５２の上端の厚みが薄いことにより、ＬＥＤ３５１が放射した光を導光板２６０が入射する導光板２６０の上端を広くすることができ、ＬＥＤ３５１が放射した光を効率よく利用できる。
【００９３】
根元部６５３は、先端部６５１よりも厚く、中間部６５２よりも薄い部分である。根元部６５３は、中間部６５２及び先端部６５１を支える部分である。
【００９４】
上部３１１は、内側は平らだが、厚みの異なる二つの部分（支持部６１１、後端部６１２）と、後端部６１２の後側が下方向に折れ曲がった折曲部６１３から構成される。支持部６１１は、下面にＬＥＤ基板３５０を取り付ける部分である。後端部６１２及び折曲部６１３は、支持部６１１よりも肉薄である。光源ユニット３００を本体１００に取り付けたとき、後端部６１２が本体枠１１０の内側に入り込むことにより、光源ユニット３００と本体１００との間の隙間からＬＥＤ３５１が放射した光が上方向に漏れるのを防ぐ。また、折曲部６１３は、ＬＥＤ３５１が放射した光が、光源ユニット３００と表示ユニット２００との間の隙間から本体１００の中へ漏れるのを防ぐ。
【００９５】
係合挟持部３１６は、前側突起部６６０と後側突起部６７０との二つの部分から構成される。前側突起部６６０は、支持部６１１の前端から上方向に立ち上がる前側幹部６６１と、前側幹部６６１の中ほどから、後方向に枝分かれする前側枝部６６２とから構成される。前側幹部６６１の前面は、前部３１５の前面と連続した平面を構成し、前側幹部６６１の厚みは、根元部６５３とほぼ同じである。後側突起部６７０は、支持部６１１の後端から上方向に立ち上がる後側幹部６７１と、後側幹部６７１の先端が二つの枝分かれした第一枝部６７２及び第二枝部６７３から構成される。第一枝部６７２は、後側幹部６７１から前方向に枝分かれしていて、前側枝部６６２とほぼ同じ高さで、前側枝部６６２と正対する。第二枝部６７３は、第一枝部６７２よりも少し低い位置から、後方向に枝分かれしている。
前側幹部６６１及び前側枝部６６２は、支持部６１１の上面と相まって、コの字状の囲まれた空間を形成する。同様に、後側幹部６７１及び第一枝部６７２は、支持部６１１の上面と相まって、コの字状に囲まれた空間を形成する。これにより、コの字状に囲まれた二つの空間が互いに正対する位置に形成される。
【００９６】
このように、光源ユニット枠３１０は柱状体なので、押出し成形により成形することができる。押出し成形は、ダイキャスト成形など他の成形方法と比較して、金型及び製品の製造コストが低く、光源ユニット枠３１０の製造コストを抑えることができる。
すなわち、光源ユニット枠３１０は、アルミニウムなどの金属で形成することにより光源（ＬＥＤ３５１）の放熱性に優れ、また、押出し成形により成形することにより安価に生産できる。この両方の利点を享受するため、光源ユニット枠３１０は、アルミニウムを材料として、アルミ押出し成形により成形することが好ましい。
【００９７】
図１１は、この実施の形態における係合保持部品３８０の形状を示す斜視図である。
【００９８】
係合保持部品３８０には、光源ユニット枠３１０の左側に取り付ける係合保持部品３８０と、光源ユニット枠３１０の右側に取り付ける係合保持部品３８０とがあり、この図は、光源ユニット枠３１０の左側に取り付ける係合保持部品３８０を示している。光源ユニット枠３１０の右側に取り付ける係合保持部品３８０は、この図に示した係合保持部品３８０と面対称な形状である。
【００９９】
斜視図（ａ）は、係合保持部品３８０を左前斜め上から見たところを表わす。斜視図（ｂ）は、係合保持部品３８０を右前斜め上から見たところを表わす。斜視図（ｃ）は、係合保持部品３８０を左後斜め下から見たところを表わす。斜視図（ｄ）は、係合保持部品３８０を右後斜め下から見たところを表わす。斜視図（ｅ）は、係合保持部品３８０を真下に近い右後斜め下から見たところを表わす。
【０１００】
係合保持部品３８０は、合成樹脂のような弾性を有する材料で形成する。係合保持部品３８０は、光源ユニット枠３１０や本体枠１１０に取り付ける際に変形し、弾性力により復元することにより、光源ユニット枠３１０や本体枠１１０に係合する。
【０１０１】
係合保持部品３８０は、側面カバー部３８１、対カバー係合部３８２、対本体係合部３８３、カバー押さえ部３８４、対表示係合部３８５、庇部３８６を有する。
側面カバー部３８１は、光源ユニット枠３１０の断面とほぼ同じくらいの高さ及び幅を有し、係合保持部品３８０を光源ユニット枠３１０に取り付けたとき、ＬＥＤ３５１が放射した光が、光源ユニット枠３１０の両端から横方向（ＬＥＤ３５１の並んだ直線の方向）に漏れるのを防ぐ。
対カバー係合部３８２は、側面カバー部３８１の内側から横方向に突出している。対カバー係合部３８２は、光源ユニット枠３１０と係合することにより、光源ユニット枠３１０を着脱自在に保持し、係合保持部品３８０を光源ユニット枠３１０に固定する。
対本体係合部３８３は、側面カバー部３８１の裏側から横方向に突出している。対本体係合部３８３の突出方向は、対カバー係合部３８２の突出方向に対してほぼ垂直な方向である。対本体係合部３８３は、本体枠１１０と係合することにより、本体枠１１０を着脱自在に保持し、光源ユニット３００全体を本体１００に固定する。
カバー押さえ部３８４は、側面カバー部３８１の内側から横方向に突出している。カバー押さえ部３８４の突出方向は、対カバー係合部３８２の突出方向とほぼ同一であり、カバー押さえ部３８４の突出位置は、対カバー係合部３８２の突出位置よりも下である。カバー押さえ部３８４は、対カバー係合部３８２との間に光源ユニット枠３１０を挟むことにより、光源ユニット枠３１０を押さえる。
対表示係合部３８５は、側面カバー部３８１の内側下寄りに形成された凹凸である。対表示係合部３８５は、表示ユニット２００が取り付けられた本体１００に光源ユニット３００を取り付けたとき、表示ユニット２００と係合して、光源ユニット３００と表示ユニット２００との位置関係を固定する。
庇部３８６は、側面カバー部３８１の内側前端から横方向に突出した庇状の部分である。係合保持部品３８０を光源ユニット枠３１０に取り付けたとき、庇部３８６は、光源ユニット枠３１０の前に被さり、ＬＥＤ３５１が放射した光が光源ユニット枠３１０と係合保持部品３８０との間の隙間から外に漏れるのを防ぐ。
【０１０２】
図１２は、この実施の形態における係合保持部品３８０の形状を示す正視図及び一部拡大斜視図である。
平面図（ａ）は、係合保持部品３８０を上から見たところを表わす。側面図（ｂ）は、係合保持部品３８０を右から見たところを表わす。背面図（ｃ）は、係合保持部品３８０を後から見たところを表わす。底面図（ｄ）は、係合保持部品３８０を下から見たところを表わす。斜視図（ｅ）は、係合保持部品３８０の対本体係合部３８３を左斜め下後方から見たところを表わす。
【０１０３】
対カバー係合部３８２は、対カバー係合支持部７２１、対カバー嵌合爪７２２、対カバー係合補強部７２３を有する。
対カバー係合支持部７２１は、側面カバー部３８１の内側から横方向に突出した板状の突起である。対カバー係合支持部７２１の先端は、上側及び下側の稜線がそれぞれ丸く面取り（Ｒ面取り・フィレット）されている。対カバー係合支持部７２１は、係合保持部品３８０を光源ユニット枠３１０に取り付けたとき、係合挟持部３１６によって形成された空間に挿入される。
対カバー嵌合爪７２２は、対カバー係合支持部７２１の下側から下方向に突出した爪状の突起である。対カバー嵌合爪７２２は、横から見るとほぼ直角三角形状であり、対カバー係合支持部７２１に接する二つの角のうち根元に近い側の角がほぼ直角である。対カバー嵌合爪７２２は、係合保持部品３８０を光源ユニット枠３１０に取り付けたとき、カバー嵌合穴３１８に嵌合する。
対カバー係合補強部７２３及び対カバー係合補強部７２４は、対カバー係合支持部７２１の根元の両横に位置し、対カバー係合支持部７２１と一体で、側面カバー部３８１の内側から横方向に突出した突起である。対カバー係合補強部７２３，７２４の下側の面は、対カバー係合支持部７２１の下側の面と連続した平面を構成し、対カバー係合補強部７２３，７２４の厚みは、対カバー係合支持部７２１の厚みよりも厚い。対カバー係合補強部７２３，７２４の先端は、対カバー嵌合爪７２２よりも側面カバー部３８１に近い位置にあり、上側の稜線が約４５度の角度に面取り（Ｃ面取り）されて、面取り面７２５，７２６が形成されている。対カバー係合補強部７２３は、係合挟持部３１６により形成された空間のうち、支持部６１１・後側幹部６７１・第一枝部６７２によりコの字状に囲まれた空間にちょうど収まる大きさである。また、対カバー係合補強部７２４は、係合挟持部３１６により形成された空間のうち、支持部６１１・前側幹部６６１・前側枝部６６２によりコの字状に囲まれた空間にちょうど収まる大きさである。
【０１０４】
係合保持部品３８０を光源ユニット枠３１０に取り付けるには、作業者が、対カバー係合支持部７２１の先端を係合挟持部３１６によって形成された空間に挿入する。対カバー嵌合爪７２２のある位置まで対カバー係合支持部７２１を挿入すると、対カバー嵌合爪７２２の斜面が支持部６１１に当接して、係合保持部品３８０全体が少し上に持ち上げられる。更に、対カバー係合支持部７２１を挿入すると、対カバー係合補強部７２３の面取り面７２５が第一枝部６７２に当接し、対カバー係合補強部７２４の面取り面７２６が前側枝部６６２に当接する。作業者が力を加えて係合保持部品３８０を更に押し込もうとすると、係合保持部品３８０全体が少し下に押し下げられ、対カバー嵌合爪７２２が支持部６１１の上面に当接しているので、対カバー係合支持部７２１が変形して、斜め上方向を向く。更に係合保持部品３８０を押し込むと、対カバー嵌合爪７２２がカバー嵌合穴３１８の位置に達すると、対カバー係合支持部７２１が弾性力により復元し、対カバー嵌合爪７２２がカバー嵌合穴３１８に嵌合する。また、カバー押さえ部３８４が支持部６１１の下面に当接し、対カバー係合部３８２とカバー押さえ部３８４とで支持部６１１を挟み込んで保持する。
【０１０５】
係合保持部品３８０を光源ユニット枠３１０から取り外すには、対カバー嵌合爪７２２とカバー嵌合穴３１８との嵌合を外す必要がある。ここで、対カバー係合部３８２とカバー押さえ部３８４とが前側幹部６６１を挟み込み、第一枝部６７２及び前側枝部６６２と支持部６１１とが対カバー係合補強部７２３及び対カバー係合補強部７２４を挟み込んでいるので、係合保持部品３８０全体を上に動かすことはできない。このため、対カバー嵌合爪７２２とカバー嵌合穴３１８との嵌合が自然に外れることはない。対カバー嵌合爪７２２とカバー嵌合穴３１８との嵌合を外すには、作業者が、カバー嵌合穴３１８の下側からドライバーなどの工具を差し込んで、対カバー嵌合爪７２２を押し、対カバー係合支持部７２１を変形させる。これにより、対カバー嵌合爪７２２とカバー嵌合穴３１８との嵌合が外れるので、係合保持部品３８０を取り外すことが可能になる。
【０１０６】
このように、係合挟持部３１６は、横方向（ＬＥＤ３５１が並んだ直線の方向）から対カバー係合部３８２を挿入可能であり、挿入された対カバー係合部３８２を挟み込んで保持する。また、対カバー嵌合爪７２２は、カバー嵌合穴３１８に嵌合することにより、係合保持部品３８０が係合挟持部３１６から抜けにくくする。
このような構造を採用することにより、ネジなどを使わず、光源ユニット枠３１０（光源カバー）の端部に係合保持部品３８０（端部カバー）を簡単に装着することができ、容易には外れないようにすることができる。
【０１０７】
対本体係合部３８３は、対本体係合根元部７３１、対本体嵌合爪７３２を有する。
対本体係合根元部７３１は、側面カバー部３８１の裏側（光源ユニット３００を本体１００に取り付けたとき、本体１００に正対する側の面）から突出する柱状体である。対本体係合根元部７３１は、直方体７８０の稜線のうち内側の二つの稜線７８１，７８２を面取り（Ｃ面取り）した形状である。
対本体嵌合爪７３２は、等脚台形を底面に持つ四角柱７９０から、一方の底面である等脚台形の上底辺にあたる稜線７９１を面取り（Ｃ面取り）し、同じ底面であると等脚台形の下底辺にあたる稜線７９２を丸く面取り（Ｒ面取り）し、更に、対本体係合根元部７３１の面取り面の延長にあたる面で、内側の二つの稜線８９３，７９４を面取りした形状である。四角柱７９０の一方の底面は、直方体７８０の面取りのある側の側面と連続した平面をなす。四角柱７９０の高さは、直方体７８０の幅より大きく、四角柱７９０の他方の底面は、直方体７８０の面取りのない側の側面より突出して、爪状の部分を形成している。
係合保持部品３８０を光源ユニット枠３１０に取り付けると、対本体係合部３８３は、光源ユニット枠３１０の後端部６１２と当接し、内側から支持される。このため、対本体係合部３８３は、外側からの力を受けても容易に変形しない。
【０１０８】
図１３は、この実施の形態における本体枠１１０の形状を示す一部拡大破断斜視図である。
この図は、本体枠１１０の左上の部分を内側から見たところを示す図である。
【０１０９】
本体嵌合凹部１１８は、本体枠１１０の左側部１１２内側に位置する凹部である。本体嵌合凹部１１８は、本体１００に光源ユニット３００を取り付けたとき、係合保持部品３８０の対本体係合部３８３と嵌合する。
本体嵌合凸部１１９は、本体嵌合凹部１１８の前側に位置し、本体嵌合凹部１１８より内側に突出しているが、左側部１１２の内側の面よりはへこんでいる。本体嵌合凸部１１９は、本体嵌合凹部１１８と嵌合した対本体係合部３８３が外れにくくする。
【０１１０】
図示していないが、本体枠１１０の右上、図示した本体嵌合凹部１１８及び本体嵌合凸部１１９とちょうど正対する位置にも、本体嵌合凹部１１８及び本体嵌合凸部１１９が設けられている。
また、本体嵌合凹部１１８及び本体嵌合凸部１１９は、光源ユニット３００一つに対して一組設けられる。この例における誘導灯８００は両面灯であり、表側の表示ユニット２００用の光源ユニット３００と、裏側の表示ユニット２００用の光源ユニット３００とがあって、合計二つの光源ユニット３００がある。そのため、本体嵌合凹部１１８及び本体嵌合凸部１１９は、本体枠１１０の表側の左右に１つずつ、本体枠１１０の裏側の左右に１つずつ設けられ、合計四つの本体嵌合凹部１１８と、四つの本体嵌合凸部１１９とが設けられている。
【０１１１】
図１４は、この実施の形態における本体枠１１０と光源ユニット３００との係合の様子を示す一部破断平面図である。
この図は、本体枠１１０及び光源ユニット３００を上から見たところを表わす。係合の様子が見えるよう、本体枠１１０の一部を破断している。また、左右方向に長いので、中間部分を省略している。
【０１１２】
作業者は、光源ユニット３６０に係合保持部品３８０を取り付けて光源ユニット３００としたのち、光源ユニット３００を本体枠１１０に取り付ける。作業者が、光源ユニット３００を本体枠１１０の前後方向から本体枠１１０に近づけると、対本体嵌合爪７３２が本体嵌合凸部１１９に当接する。作業者が光源ユニット３００を更に押し込もうとすると、本体枠１１０全体が変形して、左右に開く。作業者が、光源ユニット３００を押し込んで、対本体係合根元部７３１が本体嵌合凸部１１９の位置に達すると、本体枠１１０が弾性力により復元し、対本体嵌合爪７３２が本体嵌合凹部１１８に嵌合する。これにより、光源ユニット３００が本体枠１１０に固定される。
【０１１３】
このように、本体枠１１０は、表示ユニット２００とほぼ同一の大きさに開口した開口部を有し、開口部がある開口方向を除いて点灯装置５３０（点灯回路）の周囲を囲んでいる。開口部には、光源ユニット３６０を保持した二つの係合保持部品３８０の対本体係合部３８３が挿入可能である。本体枠１１０は、開口部に挿入された対本体係合部３８３を両側から挟み込む形で保持する。
また、本体枠１１０の内側には、互いに正対する位置に本体嵌合凹部１１８が設けられている。対本体係合部３８３には、対本体嵌合爪７３２が設けられていて、対本体嵌合爪７３２が本体嵌合凹部１１８と嵌合することにより、対本体係合部３８３が本体枠１１０から抜けにくくする。
【０１１４】
なお、この実施の形態では、対本体係合部３８３が本体枠１１０に設けられた本体嵌合凹部１１８と嵌合することにより、光源ユニット３００を本体枠１１０に取り付ける場合について説明したが、実施の形態１〜実施の形態４で説明した誘導灯８００と同様に、対本体係合部３８３（光源ユニット突出部３２０）が、本体枠１１０に固定された弾性体４００と係合することにより、光源ユニット３００を本体枠１１０に取り付ける構造としてもよい。
【０１１５】
また、この実施の形態では、表示ユニット２００を本体枠１１０に取り付ける構造について説明していないが、実施の形態１〜実施の形態４で説明したように、表示ユニット突出部２２０が弾性体４００と係合することにより、表示ユニット２００を本体枠１１０に取り付けてもよいし、表示ユニット突出部２２０が本体枠１１０と直接嵌合する構造としてもよい。
【０１１６】
この実施の形態における誘導灯８００（表示装置）は、光源ユニット枠３１０（光源カバー）に金型が安価なアルミ押出し材を使用しているので、安価に生産でき、放熱性に優れている。また、光源ユニット枠３１０に係合保持部品３８０を容易に取り付けることができる反面、かつ容易には外れない構造になっている。
【０１１７】
特に、光源ユニット枠３１０の端部の形状に着目すると、係合保持部品３８０を光源ユニット枠３１０の外側から押し込み、対カバー係合部３８２を係合挟持部３１６によりコの字状に囲まれた空間に挿入する。支持部６１１は、対カバー係合補強部７２３，７２４とカバー押さえ部３８４との間に挟み込まれる。対カバー係合補強部７２３，７２４の先端は、挿入しやすいように面取りされている。なお、対カバー係合補強部７２３，７２４の先端の形状は、Ｃ面取り形状に限らず、丸く面取りされていてもよいし、円弧状あるいは傾斜状であってもよい。対カバー係合支持部７２１は、弾性により変形し、対カバー嵌合爪７２２がカバー嵌合穴３１８に嵌合して、容易に固定できるが、容易には外れない。
【０１１８】
このように、ＬＥＤ３５１などを光源とし、放熱のため光源ユニット枠３１０に金属部材を使用した場合であっても、光源ユニット３００を本体１００（器具本体）に取り付ける取付構造（係合保持部品３８０）を別部品とすることにより、樹脂成形部材を使用することができる。
また、係合保持部品３８０を光源ユニット枠３１０に取り付ける構造として、上記説明したような構造を採用することにより、係合保持部品３８０を光源ユニット枠３１０に簡単装着でき、かつ容易には外れないようにすることができる。係合保持部品３８０を光源ユニット枠３１０に取り付けるのにネジなどを使う必要がないので、光源ユニット３００の製造コストを抑えることができる。
【０１１９】
上記表示装置は、
光源を有する光源ユニットと、
上記光源ユニットの光源を点灯させる点灯回路を有する器具本体と、
上記光源ユニットの光源が放射する光を入射して発光する表示板を有する表示ユニットと、
上記器具本体に固定され、上記表示ユニット及び上記光源ユニットの少なくともいずれかと係合する形状を有し、上記表示ユニット及び上記光源ユニットの少なくともいずれかを着脱自在に保持する弾性体と
を備える。
【０１２０】
上記表示ユニット及び上記光源ユニットの少なくともいずれかは、裏側に突出した突出部を有し、
上記弾性体は、上記突出部と係合する形状を有する。
【０１２１】
上記表示ユニットは、更に、表示ユニット係合部を有し、
上記光源ユニットは、更に、上記表示ユニット係合部と係合する光源ユニット係合部を有する。
【０１２２】
上記器具本体は、更に、所定方向を除いて上記点灯回路の周囲を囲み、上記所定方向が上記表示ユニットと略同一の大きさに開口した本体枠を有し、
上記弾性体は、上記本体枠の開口を閉塞する位置に上記表示ユニットを保持する。
【０１２３】
上記表示装置は、二つの表示ユニットを備え、
所定方向及び上記所定方向と反対の方向を除いて上記点灯回路の周囲を囲み、上記所定方向及び上記所定方向と反対の方向が上記表示ユニットと略同一の大きさに開口した本体枠を有し、
上記弾性体は、上記本体枠の上記所定方向の開口を閉塞する位置に上記二つの表示ユニットのうちの一つを保持し、上記本体枠の上記所定方向と反対の方向の開口を閉塞する位置に上記二つの表示ユニットのうちのもう一つを保持する。
【符号の説明】
【０１２４】
１００  本体、１１０  本体枠、１１１，３１１  上部、１１２，２１２  左側部、１１３，２１３  下部、１１４，２１４  後部、１１８  本体嵌合凹部、１１９  本体嵌合凸部、１２０  弾性体取付部、１３０  嵌合爪部、２００  表示ユニット、２１０  表示ユニット枠、２２０  表示ユニット突出部、２２１，３２１  凸部、２２４，３２４  凹部、２３０  支持突出部、２３１  嵌合穴、２４０  遮光突出部、２６０  導光板、２６１  導光板テーパー部、２６２  導光板突起部、２７０  表示パネル、３００，３６０  光源ユニット、３１０  光源ユニット枠、３１５  前部、３１６  係合挟持部、３１８  カバー嵌合穴、３１９  基板取付穴、３２０  光源ユニット突出部、３３０  光源ユニット係合部、３５０  ＬＥＤ基板、３５１  ＬＥＤ、３８０  係合保持部品、３８１  側面カバー部、３８２  対カバー係合部、３８３  対本体係合部、３８４  カバー押さえ部、３８５  対表示係合部、３８６  庇部、３９０  ネジ、４００  弾性体、４１１，４２１  第一腕部、４１２，４２２  第一屈曲部、４１３，４２３  第二腕部、４１４，４２４  第二屈曲部、４１５，４２５  第三腕部、４１６，４２６  第三屈曲部、４１７，４２９  基部、４２７  第四腕部、４２８  第四屈曲部、５１０  端子台、５２０  バッテリー、５３０  点灯装置、５４０  点検スイッチ、６１１  支持部、６１２  後端部、６１３  折曲部、６５１  先端部、６５２  中間部、６５３  根元部、６６０  前側突起部、６６１  前側幹部、６６２  前側枝部、６７０  後側突起部、６７１  後側幹部、６７２  第一枝部、６７３  第二枝部、７２１  対カバー係合支持部、７２２  対カバー嵌合爪、７２３，７２４  対カバー係合補強部、７２５，７２６  面取り面、７３１  対本体係合根元部、７３２  対本体嵌合爪、７８０  直方体、７８１，７８２，７９１〜７９４  稜線、７９０  四角柱、８００  誘導灯。
【図１】
0005449489.tif 000002
【図２】
0005449489.tif 000003
【図３】
0005449489.tif 000004
【図４】
0005449489.tif 000005
【図５】
0005449489.tif 000006
【図６】
0005449489.tif 000007
【図７】
0005449489.tif 000008
【図８】
0005449489.tif 000009
【図９】
0005449489.tif 000010
【図１０】
0005449489.tif 000011
【図１１】
0005449489.tif 000012
【図１２】
0005449489.tif 000013
【図１３】
0005449489.tif 000014
【図１４】
0005449489.tif 000015